(57)【要約】  バッテリ利用システムは、電力を利用する電力装置に対して着脱自在に装着されるバッテリと、前記バッテリを保管する保管装置と、前記保管装置に保管された前記バッテリの利用可能性に関する情報を報知する報知部と、前記バッテリの利用を予約したユーザである予約ユーザを非接触又は接触で検出する検出部と、を備え、前記報知部は、前記予約ユーザが予約した前記バッテリである予約バッテリが前記保管装置に保管されているときに、前記検出部が前記予約ユーザを検出したことに基づいて、前記予約バッテリを利用可能と報知する。
2020027186.tif 000002
【特許請求の範囲】
【請求項１】
電力を利用する電力装置に対して着脱自在に装着されるバッテリと、
前記バッテリを保管する保管装置と、
前記保管装置に保管された前記バッテリの利用可能性に関する情報を報知する報知部と、
前記バッテリの利用を予約したユーザである予約ユーザを非接触又は接触で検出する検出部と、を備え、
前記報知部は、
前記予約ユーザが予約した前記バッテリである予約バッテリが前記保管装置に保管されているときに、前記検出部が前記予約ユーザを検出したことに基づいて、前記予約バッテリを利用可能と報知する、
バッテリ利用システム。
【請求項２】
前記報知部は、前記予約バッテリが前記保管装置に保管されており、前記検出部が前記予約ユーザを検出しないときに、前記予約バッテリを利用不可と報知する、
請求項１に記載のバッテリ利用システム。
【請求項３】
前記ユーザから提供される予約情報に基づいて、前記バッテリの利用を予約する予約部と、
前記予約部が前記バッテリの利用を予約した場合に、前記予約された予約バッテリの利用が不可であることを示す報知情報を前記ユーザに提供する情報提供部と、を更に備える、
請求項１または２に記載のバッテリ利用システム。
【請求項４】
前記予約ユーザの操作入力を受け付ける入力部を更に備え、
前記情報提供部は、前記入力部に対する前記予約ユーザの操作に応じて、前記報知情報を提供することをキャンセルする、
請求項３に記載のバッテリ利用システム。
【請求項５】
前記報知部は、前記バッテリの利用可能性に関する前記情報を表示する表示部を有する、
請求項１から４のうちいずれか一項に記載のバッテリ利用システム。
【請求項６】
前記保管装置は、前記バッテリを収容する収容部と、前記収容部から前記バッテリが取り出される場合、又は前記収容部に前記バッテリが収容される場合に前記収容部の開口を開閉する開閉部材とを有する、
請求項１から５のうちいずれか一項に記載のバッテリ利用システム。
【請求項７】
前記ユーザから提供される前記予約情報に基づいて、前記バッテリの予約に伴う課金の金額を決定する決定部を更に備える、
請求項３または４に記載のバッテリ利用システム。
【請求項８】
前記予約ユーザが前記予約バッテリの利用を予約してから経過した時間を計測する計時部を更に備え、
前記決定部は、前記計時部によって計測された前記時間が長いほど、前記課金の金額を大きくする、
請求項７に記載のバッテリ利用システム。
【請求項９】
電力を利用する電力装置に対して着脱自在に装着されるバッテリを収容する収容部と、
前記収容部に収容された前記バッテリの利用可能性に関する情報を報知する報知部と、
前記収容部に収容された前記バッテリの利用を予約したユーザである予約ユーザを非接触又は接触で検出する検出部と、を備え、
前記報知部は、
前記予約ユーザが予約した前記バッテリである予約バッテリが前記収容部に収容されているときに、前記検出部が前記予約ユーザを検出したことに基づいて、前記予約バッテリを利用可能と報知する、
保管装置。
【請求項１０】
電力を利用する電力装置に対して着脱自在に装着されるバッテリを収容する収容部と、前記収容部に収容された前記バッテリの利用可能性に関する情報を報知する報知部と、前記収容部に収容された前記バッテリの利用を予約したユーザである予約ユーザを非接触又は接触で検出する検出部とを備えるコンピュータが、
前記予約ユーザが予約した前記バッテリである予約バッテリが前記収容部に収容されているときに、前記検出部が前記予約ユーザを検出したことに基づいて、前記報知部に、前記予約バッテリを利用可能と報知させるステップを含む、
バッテリ利用方法。
【請求項１１】
電力を利用する電力装置に対して着脱自在に装着されるバッテリを収容する収容部と、前記収容部に収容された前記バッテリの利用可能性に関する情報を報知する報知部と、前記収容部に収容された前記バッテリの利用を予約したユーザである予約ユーザを非接触又は接触で検出する検出部とを備えるコンピュータに、
前記予約ユーザが予約した前記バッテリである予約バッテリが前記収容部に収容されているときに、前記検出部が前記予約ユーザを検出したことに基づいて、前記報知部に、前記予約バッテリを利用可能と報知させる、
プログラム。
【請求項１２】
請求項１１に記載のプログラムを格納したコンピュータ読み取り可能な記憶媒体。
【発明の詳細な説明】
【技術分野】
【０００１】
本発明は、バッテリ利用システム、保管装置、バッテリ利用方法、プログラム、及び記憶媒体に関する。
本願は、２０１８年７月３１日に、日本に出願された日本国特願２０１８−１４３６４０に基づき優先権を主張し、その内容をここに援用する。
【背景技術】
【０００２】
従来、携帯型電気エネルギー貯蔵装置、例えば着脱式バッテリを電気スクータに搭載して使用し、電力を消費した際に、着脱式バッテリを収集、充電、分配する収集充電分配装置がある（例えば、特許文献１参照）。この収集充電分配装置は、着脱式バッテリを充電等のために着脱自在に収容する複数の収容器を有している。【０００３】
ユーザは、充電が必要な着脱式バッテリを電気スクータから取り外し、収集充電分配装置の収容器に収容する。その一方で、充電済の着脱式バッテリを収容器から取り出し、電気スクータに取り付けて使用するというバッテリの交換を前提としたバッテリの共同利用サービスが提供されている。【０００４】
また、バッテリの共同利用サービスにおいて、収容器に収容された着脱式バッテリをユーザが予約可能とされたサービスもある（例えば、特許文献２参照）。【０００５】
また、移動体本体に対してバッテリを着脱可能に装填できる移動体の他の例として、バッテリと、バッテリを収容可能な収容室が形成された充電給電ユニットとを有する可搬型の充電給電装置が知られている（例えば、特許文献３参照）。
【先行技術文献】
【特許文献】
【０００６】
【特許文献１】日本国特表２０１４−５２７６８９号公報
【特許文献２】日本国特表２０１４−５２９１１９号公報
【特許文献３】日本国特開２０１９−０６８５５２号公報
【発明の概要】
【発明が解決しようとする課題】
【０００７】
上記の収集充電分配装置では、例えば、充電済の着脱式バッテリが収容器に収容されているが、充電済の着脱式バッテリが、この着脱式バッテリを予約したユーザ（以下、「予約ユーザ」という。）がいる場合がある。この場合、予約を行っていない他のユーザ（以下、「非予約ユーザ」という。）が、充電済の着脱式バッテリを取り出そうとした際に、初めて着脱式バッテリが予約済であり、取り出すことができないと認識できる場合がある。この場合には、非予約ユーザが着脱式バッテリの取り外しを試みた作業が無駄となり非予約ユーザに喪失感を与えるとともに、ユーザからの苦情につながるおそれがある。【０００８】
本発明の態様は、着脱式バッテリの貸出を受けられない非予約者の無駄な作業を抑制できるバッテリ利用システム、保管装置、バッテリ利用方法、プログラム、及び記憶媒体を提供することを目的の一つとする。
【課題を解決するための手段】
【０００９】
（１）本発明の一態様は、電力を利用する電力装置に対して着脱自在に装着されるバッテリと、前記バッテリを保管する保管装置と、前記保管装置に保管された前記バッテリの利用可能性に関する情報を報知する報知部と、前記バッテリの利用を予約したユーザである予約ユーザを非接触又は接触で検出する検出部と、を備え、前記報知部は、前記予約ユーザが予約した前記バッテリである予約バッテリが前記保管装置に保管されているときに、前記検出部が前記予約ユーザを検出したことに基づいて、前記予約バッテリを利用可能と報知するバッテリ利用システムである。【００１０】
（２）の態様は、（１）の態様において、前記報知部は、前記予約バッテリが前記保管装置に保管されており、前記検出部が前記予約ユーザを検出しないときに、前記予約バッテリを利用不可と報知するものである。【００１１】
（３）の態様は、（１）または（２）の態様において、前記ユーザから提供される予約情報に基づいて、前記バッテリの利用を予約する予約部と、前記予約部が前記バッテリの利用を予約した場合に、前記予約された予約バッテリの利用が不可であることを示す報知情報を前記ユーザに提供する情報提供部と、を更に備えるものである。【００１２】
（４）の態様は、（３）の態様において、前記予約ユーザの操作入力を受け付ける入力部を更に備え、前記情報提供部は、前記入力部に対する前記予約ユーザの操作に応じて、前記報知情報を提供することをキャンセルするものである。【００１３】
（５）の態様は、（１）から（４）のいずれか１つの態様において、前記報知部は、前記バッテリの利用可能性に関する前記情報を表示する表示部を有するものである。【００１４】
（６）の態様は、（１）から（５）のいずれか１つの態様において、前記保管装置は、前記バッテリを収容する収容部と、前記収容部から前記バッテリが取り出される場合、又は前記収容部に前記バッテリが収容される場合に前記収容部の開口を開閉する開閉部材とを有するものである。【００１５】
（７）の態様は、（３）または（４）の態様において、前記ユーザから提供される前記予約情報に基づいて、前記バッテリの予約に伴う課金の金額を決定する決定部を更に備えるものである。【００１６】
（８）の態様は、（７）の態様において、前記予約ユーザが前記予約バッテリの利用を予約してから経過した時間を計測する計時部を更に備え、前記決定部は、前記計時部によって計測された前記時間が長いほど、前記課金の金額を大きくするものである。【００１７】
（９）本発明の他の態様は、電力を利用する電力装置に対して着脱自在に装着されるバッテリを収容する収容部と、前記収容部に収容された前記バッテリの利用可能性に関する情報を報知する報知部と、前記収容部に収容された前記バッテリの利用を予約したユーザである予約ユーザを非接触又は接触で検出する検出部と、を備え、前記報知部は、前記予約ユーザが予約した前記バッテリである予約バッテリが前記収容部に収容されているときに、前記検出部が前記予約ユーザを検出したことに基づいて、前記予約バッテリを利用可能と報知する、
保管装置である。【００１８】
（１０）本発明の他の態様は、電力を利用する電力装置に対して着脱自在に装着されるバッテリを収容する収容部と、前記収容部に収容された前記バッテリの利用可能性に関する情報を報知する報知部と、前記収容部に収容された前記バッテリの利用を予約したユーザである予約ユーザを非接触又は接触で検出する検出部とを備えるコンピュータが、前記予約ユーザが予約した前記バッテリである予約バッテリが前記収容部に収容されているときに、前記検出部が前記予約ユーザを検出したことに基づいて、前記報知部に、前記予約バッテリを利用可能と報知させるステップを含むバッテリ利用方法である。【００１９】
（１１）本発明の他の態様は、電力を利用する電力装置に対して着脱自在に装着されるバッテリを収容する収容部と、前記収容部に収容された前記バッテリの利用可能性に関する情報を報知する報知部と、前記収容部に収容された前記バッテリの利用を予約したユーザである予約ユーザを非接触又は接触で検出する検出部とを備えるコンピュータに、前記予約ユーザが予約した前記バッテリである予約バッテリが前記収容部に収容されているときに、前記検出部が前記予約ユーザを検出したことに基づいて、前記報知部に、前記予約バッテリを利用可能と報知させるプログラムである。【００２０】
（１２）本発明の他の態様は、（１１）の態様のプログラムを格納したコンピュータ読み取り可能な記憶媒体である。
【発明の効果】
【００２１】
上記の態様によれば、例えば、バッテリの利用を予約したユーザが保管装置に近づくことにより、検出部がそのユーザを検出して、報知部がバッテリを利用可能と報知する。このため、バッテリの利用を予約していない非予約者が管理装置に近づいたとしても、報知部は、バッテリを利用可能と報知しないので、バッテリの貸出を受けられない非予約者は、保管装置に近づくことなく、バッテリの貸出が受けられないことを認識できる。したがって、非予約者の無駄な作業を抑制できる。
【図面の簡単な説明】
【００２２】
【図１】本発明の一実施形態における着脱式バッテリ貸出システムの全体構成図である。
【図２】図１に示す着脱式バッテリ貸出システムのブロック図である。
【図３】表示器の表示の一例を示す図である。
【図４】着脱式バッテリ貸出システムの処理の一例を示すシーケンス図である。
【図５】充電ステーションでの処理を流れの一例を示すフローチャートである。
【図６】表示器の表示の変化の一例を示す図である。
【図７】表示器の表示の変化の他の一例を示す図である。
【図８】表示器の表示の変化の他の一例を示す図である。
【発明を実施するための形態】
【００２３】
以下、本発明に係るバッテリ利用システム、保管装置、バッテリ利用方法、プログラム、及び記憶媒体について、添付の図面を参照しながら説明する。
【００２４】
［着脱式バッテリ貸出システム１０の構成］
＜全体構成＞
図１は、本発明の一実施形態におけるバッテリ利用システムを適用した着脱式バッテリ貸出システム１０の全体構成図である。図２は、図１に示す着脱式バッテリ貸出システム１０のブロック図である。
【００２５】
図１に示すように、着脱式バッテリ貸出システム１０（バッテリ利用システムの一例）は、鞍乗り型の自動二輪車１２（電動車両）の駆動源である着脱式バッテリ１４を、複数のユーザで共同利用するシェアサービスを提供可能なシステムである。この着脱式バッテリ貸出システム１０は、基本的には、複数の着脱式バッテリ１４と、複数の充電ステーション１６と、管理サーバ１８と、を備える。自動二輪車１２は「電力装置」の一例であり、充電ステーション１６は「保管装置」の一例である。
【００２６】
「電力装置」は、自動二輪車１２に限られず、例えば、電力により走行可能かつ着脱自在に着脱式バッテリ１４が装着可能な車両（一輪、三輪、四輪等）、またはアシスト式の自転車等であってもよい。これら車両型の移動体に代えて、「電力装置」は、日本国特開２０１９−０６８５５２号公報に記載の、人や車両によって運ばれる可搬型の充電給電装置であってもよい。また「電力装置」は、移動ロボット、自律走行装置、電動自転車、自律走行車、その他の電動車両、ドローン飛行体、又はその他の電動式移動装置（電動モビリティ）であってもよい。以下、一例として、「電力装置」が自動二輪車１２であるものとして説明する。
【００２７】
着脱式バッテリ１４は、少なくとも電力により走行可能な自動二輪車１２に対して着脱自在に装着されるカセット式の蓄電装置である。以下、説明の便宜上、充電が必要になった着脱式バッテリ１４を「使用済バッテリ１４ｕ」、充電が完了した着脱式バッテリ１４を「充電済バッテリ１４ｃ」と区別する場合がある。
【００２８】
充電ステーション１６は、着脱式バッテリ１４の保管及び充電を行うための設備であり、複数の場所に設置されている。充電ステーション１６の筐体２０は、第１スロット部２１及び第２スロット部２２を備えている。第１スロット部２１及び第２スロット部２２は、それぞれ４個のスロットとして、第１−１スロット２１−１〜第１−４スロット２１−４及び第２−１スロット２２−１〜第２−４スロット２２−４を備えている。第１−１スロット２１−１〜第１−４スロット２１−４及び第２−１スロット２２−１〜第２−４スロット２２−４の奥側には、着脱式バッテリ１４を充電可能な充電器２６（図２）がそれぞれ設けられている。
【００２９】
第１スロット部２１（第１−１スロット２１−１〜第１−４スロット２１−４）は、筐体２０の上段に配置されている。第１−１スロット２１−１の右側に第１−２スロット２１−２が配置され、第１−１スロット２１−１の下側に第１−３スロット２１−３が配置されている。第１−３スロット２１−３の右側であって第１−２スロット２１−２の下側に第１−４スロット２１−４が配置されている。
【００３０】
第２スロット部２２（第２−１スロット２２−１〜第２−４スロット２２−４）は、筐体２０の下段に配置されている。第２−１スロット２２−１の右側に第２−２スロット２２−２が配置され、第２−１スロット２２−１の下側に第２−３スロット２２−３が配置されている。第２−３スロット２２−３の右側であって第２−２スロット２２−２の下側に第２−４スロット２２−４が配置されている。
【００３１】
第１−１スロット２１−１は、収容部２１−１Ａ及び開閉蓋２１−１Ｂを備えている。収容部２１−１Ａには、着脱式バッテリ１４が収容可能である。収容部２１−１Ａは、前面開口部を有しており、前面開口部を介して着脱式バッテリ１４を出し入れ可能となっている。開閉蓋２１−１Ｂは、開閉可能であり、閉鎖することによって収容部２１−１Ａの前面開口を封鎖する。収容部２１−１Ａに収容された着脱式バッテリ１４は、開閉蓋２１−１Ｂを開放したときに出し入れ可能となる。開閉蓋２１−１Ｂは「開閉部材」の一例である。
【００３２】
第１−２スロット２１−２〜第１−４スロット２１−４、第２−１スロット２２−１〜第２−４スロット２２−４は、第１−１スロット２１−１と同様に、収容部及び開閉蓋をそれぞれ備えている。第１−２スロット２１−２〜第１−４スロット２１−４、第２−１スロット２２−１〜第２−４スロット２２−４の収容部及び開閉蓋は、それぞれ収容部２１−１Ａ及び開閉蓋２１−１Ｂと同様の機能を備えている。
【００３３】
充電ステーション１６は、ネットワークＮＷを介して、管理サーバ１８と通信可能に接続されている。ユーザが携行する携帯端末２８は、ネットワークＮＷを介して、管理サーバ１８と通信可能に接続されている。これにより、充電ステーション１６及び携帯端末２８は、ネットワークＮＷを経由して、管理サーバ１８に対して通信データを送受信可能である。
【００３４】
携帯端末２８は、充電ステーション１６の所在地を示す地図情報（以下、「ステーションマップ」という）を記憶している。携帯端末２８は、ステーションマップに参照して、ユーザの現在位置を基に、ユーザの周辺の充電ステーション１６に関する周辺ステーション情報を取得できる。携帯端末２８は、充電ステーション１６で貸し出される着脱式バッテリ１４を予約するためのプログラム（以下、「予約プログラム」という）を記憶している。携帯端末２８は、各種の情報や画像を表示する表示装置と、ユーザの操作を受け付ける入力装置を兼ねるタッチパネル（タッチセンサ付き表示パネル）を備える。携帯端末２８のタッチパネルは「入力部」の一例である。
【００３５】
携帯端末２８が予約プログラムを実行した場合、ユーザはタッチパネルを操作することにより、着脱式バッテリ１４の貸出の予約を行うことができる。着脱式バッテリ１４の貸出の予約が行われることにより、予約された着脱式バッテリ１４の予約ユーザ以外の非予約ユーザに対する貸出が不可とされる。
【００３６】
ユーザは、例えば、携帯端末２８によって近隣の充電ステーション１６を検索し、検索された充電ステーション１６に貸出可能な着脱式バッテリ１４がある場合に、その着脱式バッテリ１４を予約することが可能である。複数の充電ステーション１６が検索されたときには、利用する充電ステーション１６をユーザが選択可能である。携帯端末２８は、着脱式バッテリ１４の予約を行う際に、予約希望情報や予約情報を管理サーバ１８に送信する。着脱式バッテリ１４の予約から貸出までの手順は後に説明する。
【００３７】
＜着脱式バッテリ１４の構成＞
図２に示すように、着脱式バッテリ１４は、具体的には、蓄電部３０と、測定センサ３２と、バッテリ管理ユニット（Battery Management Unit；以下、「ＢＭＵ」という。）３４と、接続部３６と、を備える。
【００３８】
蓄電部３０は、二次電池（リチウムイオン電池や鉛蓄電池）を含む、電力を充放電可能に構成された電池コアパックである。蓄電部３０の構成はこれ以外であってもよく、他の種類の二次電池、キャパシタ、又はこれらを組み合わせた複合電池であってもよい。
【００３９】
測定センサ３２は、蓄電部３０の電圧、電流又は温度を測定する各種センサから構成される。これにより、測定センサ３２は、自動二輪車１２に装着された状態下での使用環境又は使用状態の履歴を示す情報（以下、「使用履歴情報」という。）を取得可能である。
【００４０】
ＢＭＵ３４は、例えばＣＰＵ（Central Processing Unit）、ＲＡＭ（Random Access Memory）を含んで構成され、蓄電部３０の充放電制御を司る装置である。また、ＢＭＵ３４は、着脱式バッテリ１４の識別情報（以下、「バッテリＩＤ」という。）、ユーザの識別情報（以下、「ユーザＩＤ」という。）、測定センサ３２からの使用履歴情報、充電ステーション１６からの劣化推定情報を記憶可能である。
【００４１】
使用履歴情報の一例として、充電時又は放電時の内部温度、放電時の電圧、充電率（ＳＯＣ；State Of Charge）の時系列データ、貸出から返却までの使用容量・使用期間・走行距離、又は、通算の使用容量・使用期間・走行距離が挙げられる。劣化推定情報の一例として、容量維持率、内部抵抗増加率、放置時ＳＯＣ、放置時バッテリ温度、製造時点からの経過時間、通算充電回数が挙げられる。
【００４２】
＜充電ステーション１６の構成＞
充電ステーション１６は、具体的には、第１表示器２３と、第２表示器２４と、認証器２５と、充電器２６と、通信モジュール４０と、メモリ４２と、制御装置４４と、を備える。
【００４３】
第１表示器２３及び第２表示器２４は、少なくとも表示機能を有する機器であり、例えば、タッチパネル（タッチセンサ付き表示パネル）から構成される。これにより、ユーザの操作に応じて必要な情報を入力可能であると共に、ユーザに対して様々な可視情報を提供可能である。
【００４４】
第１表示器２３は、第１スロット部２１の右側に配置されており、第２表示器２４は、第２スロット部２２の右側に配置されている。第１表示器２３は、第１−１スロット２１−１〜第１−４スロット２１−４における着脱式バッテリ１４の収容状態を表示する。第２表示器２４は、第２−１スロット２２−１〜第２−４スロット２２−４における着脱式バッテリ１４の収容状態を表示する。
【００４５】
図３は、表示器の表示の一例を示す図である。第１表示器２３の第１−１表示領域２３Ａ〜第１−４表示領域２３Ｄは、それぞれ第１−１スロット２１−１〜第１−４スロット２１−４における着脱式バッテリ１４の収容状態を表示している。第２表示器２４の第２−１表示領域２４Ａ〜第２−４表示領域２４Ｄは、それぞれ第２−１スロット２２−１〜第２−４スロット２２−４における着脱式バッテリ１４の収容状態を表示している。
【００４６】
第１表示器２３及び第２表示器２４は、着脱式バッテリ１４の収容状態として、収容されている着脱式バッテリ１４が充電済バッテリ１４ｃであるときには利用可能状態、使用済バッテリ１４ｕであるときに利用不可状態を表示し、着脱式バッテリ１４が収容されていないときには未収容状態を表示する。未収容状態のスロットは、充電を必要とする着脱式バッテリ１４を待っている状態である。第１表示器２３及び第２表示器２４は、第１−１スロット２１−１〜第１−４スロット２１−４及び第２−１スロット２２−１〜第２−４スロット２２−４のそれぞれにおける着脱式バッテリ１４の収容状態を表示することによって、充電ステーション１６に保管されている着脱式バッテリ１４の利用の可否をユーザに報知する。第１表示器２３及び第２表示器２４は、「報知部」の一例である。
【００４７】
図３に示す例において、第１表示器２３及び第２表示器２４は、第１−１表示領域２３Ａ、第２−１表示領域２４Ａ、及び第２−２表示領域２４Ｂに利用可能状態を表示し、第１−２表示領域２３Ｂ、第１−３表示領域２３Ｃ、及び第２−３表示領域２４Ｃに利用不可状態を表示し、第１−４表示領域２３Ｄ及び第２−４表示領域２４Ｄに未収容状態を表示している。
【００４８】
第１表示器２３及び第２表示器２４の表示を参照すると、第１スロット部２１は、第１−１スロット２１−１、第２−１スロット２２−１、及び第２−２スロット２２−２に充電済バッテリ１４ｃを収容し、第１−２スロット２１−２、第１−３スロット２１−３、及び第２−３スロット２２−３に使用済バッテリ１４ｕを収容し、第１−４スロット２１−４及び第２−４スロット２２−４には、着脱式バッテリ１４を収容していないことになる。
【００４９】
使用済バッテリ１４ｕが収容されたスロットでは、使用済バッテリ１４ｕに対する充電が充電器２６によって行われる。充電が行われた結果、使用済バッテリ１４ｕが充電済バッテリ１４ｃとなった場合、表示領域に表示される収容状態が利用不可状態から利用可能状態に変更される。
【００５０】
第１−１スロット２１−１〜第１−４スロット２１−４のうちの１つのスロット及び第２−４スロット２２−１〜第２−４スロット２２−４のうちの１つのスロットは、未収容状態となっている。ユーザは、未収容状態のスロットに使用済バッテリ１４ｕを収容し、他のスロットから充電済バッテリ１４ｃを抜き出すことによって着脱式バッテリ１４の交換を行う。
【００５１】
認証器２５は、例えば近距離通信（ＮＦＣ；Near Field Communication）を用いて、ユーザが携行するＮＦＣカード（不図示）の記録情報を読取可能な機器である。これにより、充電ステーション１６は、この記録情報に含まれるユーザＩＤを用いて、シェアサービスの利用権限を有するユーザを認証する。認証器２５は、ユーザが所持する電波発信機が発信する電波を検出可能である。認証器２５は、ユーザが操作した電波発信機が発信した電波の検出結果に基づいて、充電ステーション１６に近づく着脱式バッテリ１４の利用を予約したユーザを検出する。認証器２５は、「検出部」の一例である。
【００５２】
また、認証器２５は、ユーザの生体情報を検出し、検出した生体情報と、予めメモリ４２等の記憶装置に格納しておいた、シェアサービスの利用権限が与えれたユーザの生体情報とを比較することで、シェアサービスの利用権限を有するユーザの認証を行ってもよい。生体情報には、例えば、指紋や声紋、虹彩、顔画像などが含まれる。また、認証器２５は、タッチパネルである第１表示器２３や第２表示器２４に入力されたパスワードを基に、シェアサービスの利用権限を有するユーザの認証を行ってもよい。
【００５３】
充電器２６は、接続部３６、５４同士を接続した状態下に着脱式バッテリ１４を充電する機器である。充電器２６には、着脱式バッテリ１４に電力を供給するための電源（不図示）が接続されている。
【００５４】
通信モジュール４０は、有線又は無線により、外部装置との間で通信可能なモジュールである。これにより、充電ステーション１６は、管理サーバ１８との間で、シェアサービスに関わる各種データの遣り取りが可能である。
【００５５】
メモリ４２は、例えば、ＥＥＰＲＯＭ（Electrically Erasable Programmable Read-Only Memory）、フラッシュメモリから構成される不揮発性メモリである。これにより、充電ステーション１６に保管されている各々の着脱式バッテリ１４に関する情報、例えば第１スロット部２１に収容される各着脱式バッテリ１４のバッテリＩＤなどの情報や、充電ステーション１６自体に関する情報、例えば充電ステーションの識別情報（以下、「ステーションＩＤ」という。）などの情報を記憶可能である。
【００５６】
制御装置４４は、例えば、ＣＰＵ又はＭＰＵを含んで構成される。制御装置４４は、メモリ４２に記憶されたプログラムを読み出して実行することにより、充電制御部４６、表示制御部４８、予約制御部５０、及び通信制御部５２として機能する。予約制御部５０は「予約部」の一例である。
【００５７】
充電制御部４６は、充電器２６を用いた着脱式バッテリ１４に対する充電の制御を行う。例えば、充電制御部４６は、充電器２６に接続された使用済バッテリ１４ｕから必要な情報を取得する。充電制御部４６は、取得した情報に基づいて、使用済バッテリ１４ｕに対する充電を行い、充電済バッテリ１４ｃとする。
【００５８】
表示制御部４８は、第１表示器２３及び第２表示器２４に対する表示制御を行う。具体的に、表示制御部４８は、第１スロット部２１の第１−１スロット２１−１〜第１−４スロット２１−４にそれぞれ収容される着脱式バッテリ１４の利用可否を第１表示器２３に表示する。第２−１スロット２２−１〜第２−４スロット２２−４にそれぞれ収容される着脱式バッテリ１４の利用可否を第２表示器２４に表示する。
【００５９】
表示制御部４８は、充電ステーション１６が充電済バッテリ１４ｃを保管している場合でも、予約ユーザによって予約されている場合には、予約された充電済バッテリ１４ｃを収容するスロットの収容状態を利用不可状態として表示する。さらに、この状態から、認証器２５が、予約ユーザの電波発信機から発信された電波を受信したときに、表示制御部４８は、予約された充電済バッテリ１４ｃを収容するスロットの収容状態を利用不可状態から利用可能状態に変更して表示する。
【００６０】
予約制御部５０は、第１スロット部２１に収容される各着脱式バッテリ１４の予約に関する情報を管理して制御する。予約制御部５０は、管理サーバ１８から送信される利用状況照会情報に基づいて、予約可能となる着脱式バッテリ１４の有無に関する利用状況情報を生成する。
【００６１】
予約制御部５０は、管理サーバ１８から送信される予約情報に基づいて、着脱式バッテリ１４の貸出の予約についての予約処理を行う。予約処理では、着脱式バッテリ１４の予約ユーザのユーザＩＤと、予約する着脱式バッテリ１４のバッテリＩＤとの対応付けや予約ユーザが所有する電波発信機が発信する電波に関する電波情報を記憶する処理を行う。
【００６２】
予約制御部５０は、予約ユーザの予約時間を計時するタイマを備えている。予約制御部５０は、予約処理を行うにあたり、予約情報を受信したときにタイマをＯＮにし、予約ユーザによる着脱式バッテリの予約時間を計測する。言い換えれば、予約制御部５０は、ユーザが着脱式バッテリ１４の貸出の予約したときにタイマをＯＮにし、ユーザが着脱式バッテリ１４の貸出の予約してから経過した時間を計測する。
【００６３】
予約制御部５０は、着脱式バッテリの予約処理において、貸出式バッテリの予約金額を設定して調整（決定）する。予約金額は、予約時間が長くなるほど高くなるように、例えば、所定時間刻みで予約金額が高くなるように設定されている。こうして、予約時間が長いほど、着脱式バッテリ１４の予約に伴う課金度合を大きくする。予約制御部５０は、「決定部」の一例である。
【００６４】
通信制御部５２は、管理サーバ１８との間における情報の送受信についての制御を行う。例えば、通信制御部５２は、管理サーバ１８から送信される利用状況照会情報や予約情報を受信する。通信制御部５２は、予約制御部５０が生成した利用状況情報や予約完了情報を管理サーバ１８に送信する。通信制御部５２は、バッテリＩＤやステーションＩＤなどの情報を管理サーバ１８に送信する。
【００６５】
＜管理サーバ１８の構成＞
管理サーバ１８は、サーバ側通信部６０と、サーバ側制御部６２と、を備えるコンピュータである。サーバ側通信部６０は、外部装置に対して電気信号を送受信するインターフェースである。これにより、管理サーバ１８は、充電ステーション１６との間で、シェアサービスに関わる各種データ（例えば、サービス利用情報の一部）の遣り取りが可能である。サーバ側通信部６０は携帯端末２８との間で、着脱式バッテリ１４の予約に関する各種データの遣り取りが可能である。
【００６６】
サーバ側制御部６２は、ＣＰＵ又はＭＰＵから構成されており、サーバ側記憶部（不図示）により格納されたプログラムを読み出し実行することで、データ処理部７０として機能する。データ処理部７０は、例えば、ＮＦＣカードの記録情報に含まれるユーザＩＤと、貸出している着脱式バッテリ１４のバッテリＩＤを紐付けして、着脱式バッテリ１４の貸出先としてのユーザを管理する。
【００６７】
データ処理部７０は、ユーザＩＤと、充電ステーション１６の第１スロット部２１に収容されている着脱式バッテリ１４のバッテリＩＤを対応付けて、着脱式バッテリ１４の予約管理を行う。データ処理部７０は、携帯端末２８から送信される予約希望情報や予約情報を充電ステーション１６に送信し、充電ステーション１６から送信される利用可能情報や予約完了情報を携帯端末２８に送信する。
【００６８】
［着脱式バッテリ貸出システム１０の動作］
本実施形態における着脱式バッテリ貸出システム１０は、以上のように構成される。続いて、図１及び図２に示す着脱式バッテリ貸出システム１０の動作について、図４のシーケンス図及び図５のフローチャートを参照しながら説明する。より詳しくは、ユーザが着脱式バッテリ１４を予約するまでの動作を図４により説明し、予約ユーザに着脱式バッテリ１４の貸出を行う際の動作を図５により説明する。
【００６９】
図４は、着脱式バッテリ貸出システムの処理の一例を示すシーケンス図である。図４に示すように、着脱式バッテリ貸出システム１０では、まず、ユーザが所持する携帯端末２８のタッチパネルを操作することにより、ユーザの周辺における充電ステーションの情報を取得する（ステップＳ１１２）。
【００７０】
充電ステーション情報を取得したら、ユーザは、携帯端末２８に予約希望情報を入力する（ステップＳ１１４）。ユーザは、予約希望情報としては、例えば、着脱式バッテリ１４の予約を行う充電ステーション１６の名称（所在地）、受取希望時間などを入力する。入力する充電ステーション１６は、１つでもよいし複数でもよい。ユーザが予約希望情報を入力したら、携帯端末２８は、入力された予約希望情報にユーザのＩＤ等を付加して、管理サーバ１８に送信する（ステップＳ１１６）。
【００７１】
管理サーバ１８は、予約希望情報を取得すると（ステップＳ１１８）、予約希望情報に含まれる充電ステーション１６に対して利用状況（収容状態）の照会を行う（ステップＳ１２０）。利用状況の照会を受けた充電ステーション１６は、利用状況情報を生成し（ステップＳ１２２）、管理サーバ１８に対して、着脱式バッテリ１４の利用状況を送信する（ステップＳ１２４）。充電ステーション１６は、第１スロット部２１における着脱式バッテリ１４の収容状態を所定時間毎、あるいは変更があった場合などに利用状況情報生成して管理サーバ１８に送信するようにしてもよい。この場合には、ステップＳ１１８からＳ１２４の処理を省略してもよい。
【００７２】
管理サーバ１８は、利用状況情報を受信したら、利用可能情報を生成し（ステップＳ１２６）、携帯端末２８に送信する（ステップＳ１２８）。利用可能情報には、携帯端末２８から送信された予約希望情報に含まれる充電ステーション１６における着脱式バッテリ１４の利用の可否に関する情報が含まれている。
【００７３】
利用可能情報を受信した携帯端末２８は、利用可能情報を表示した後、ユーザが予約を実行したか否かを判断する（ステップＳ１３０）。ここで、ユーザが予約を実行した場合には、予約情報が入力される（ステップＳ１３２）。ユーザが予約を実行していない場合には、ステップＳ１１４に戻って予約希望情報の入力が行われるかそのまま処理が終了する。
【００７４】
ユーザが予約情報を入力した場合、携帯端末２８は、入力された予約情報を管理サーバ１８に送信する（ステップＳ１３４）。予約情報を受信した管理サーバ１８は、予約情報に含まれる充電ステーション１６に対して、送信された予約情報を転送する（ステップＳ１３６）。
【００７５】
続いて、充電ステーション１６は、管理サーバ１８から転送された予約情報を受信する（ステップＳ１３８）。それから、充電ステーション１６は、予約処理を行う（ステップＳ１４０）。充電ステーション１６は、予約処理では、予約情報を送信したユーザが所有する電波発信機が発信する電波に関する電波情報を記憶する。予約処理を行う際に、タイマをＯＮにして、予約時間の計測を開始する。予約金額は、例えば、予約ユーザに対して着脱式バッテリ１４の貸し出しが行われた時点で決定されてよい。充電ステーション１６は、充電が完了して利用可能となっている着脱式バッテリ１４が収容されているスロットを確認し、そのスロットに収容された着脱式バッテリ１４のバッテリＩＤと予約情報を送信したユーザのユーザＩＤの対応付けを行う。充電ステーション１６は、ユーザＩＤが対応付けられたバッテリＩＤを含む予約完了情報を管理サーバ１８に送信する（ステップＳ１４２）。
【００７６】
管理サーバ１８は、充電ステーション１６から送信された予約完了情報を受信し、予約情報を送信した携帯端末２８に対して、ユーザＩＤが対応付けられたバッテリＩＤを含む予約完了情報を転送する（ステップＳ１４４）。そして、携帯端末２８は、予約完了情報を受信し、表示装置に表示する（ステップＳ１４６）。
【００７７】
携帯端末２８は、予約完了情報を受信し、表示装置に表示する際、充電ステーション１６においては、予約された着脱式バッテリ１４が収容されたスロットの収容状態として利用不可状態が表示されている旨を示す情報（以下、「報知態様情報」という）を表示する。これによって、報知態様情報が予約ユーザに提供される。携帯端末２８は、「情報提供部」の一例である。
【００７８】
携帯端末２８には、報知態様情報を表示させない非表示設定が可能であり、報知態様情報の提供をキャンセル可能とされている。非表示設定がなされることにより、携帯端末２８は、予約完了情報を受信したときにも、報知態様情報を表示しない。非表示設定は、例えば、携帯端末２８の所有者の操作に基づいて設定できるようにしてもよいし、予約完了情報の受信履歴に基づいて、例えば、予約完了情報を過去に１回または数回受信したときに設定されるようにしてもよい。こうして、着脱式バッテリ貸出システム１０の処理が完了する。
【００７９】
次に、予約ユーザに着脱式バッテリ１４の貸出を行う際の動作について説明する。図５は、充電ステーションでの処理を流れの一例を示すフローチャートである。図５に示すように、充電ステーション１６の制御装置４４は、第１スロット部２１及び第２スロット部２２に収容される着脱式バッテリ１４の予約が済んでいるか否かを判断する（ステップＳ２１２）。着脱式バッテリ１４の予約が済んでいないと判断した場合（ステップＳ２１２：ＮＯ）、制御装置４４は、ステップＳ２１２の処理を繰り返す。
【００８０】
着脱式バッテリ１４の予約が済んでいると判断した場合（ステップＳ２１２：ＹＥＳ）、制御装置４４は、第１スロット部２１及び第２スロット部２２における予約された着脱式バッテリ１４を収容するスロットに対応する第１表示器２３及び第２表示器２４の表示を貸出不可であることを示す利用不可状態の表示にする（ステップＳ２１４）。
【００８１】
例えば、第１−１スロット２１−１〜第１−４スロット２１−４のうち、第１−１スロット２１−１に収容された着脱式バッテリ１４が充電済バッテリ１４ｃ、第１−２スロット２１−２及び第１−３スロット２１−３に収容された着脱式バッテリ１４が使用済バッテリ１４ｕであり、第１−４スロット２１−４は着脱式バッテリ１４が収容されていないとする。この場合には、図６（Ａ）に示すように、第１表示器２３には第１−１表示領域２３Ａにおいて利用可能状態が表示され、第１−２表示領域２３Ｂ及び第１−３表示領域２３Ｃには利用不可状態が表示され、第１−４表示領域２３Ｄには未収容状態が表示される。ここで、第１−１スロット２１−１に収容された充電済バッテリ１４ｃの予約が完了すると、図６（Ｂ）に示すように、第１−１表示領域２３Ａの表示が利用可能状態から利用不可状態に変化する。
【００８２】
続いて、制御装置４４は、予約ユーザが充電ステーション１６に接近しているか否かを判断する（ステップＳ２１６）。予約者が接近しているか否かの判断は、予約者が電波発信機を操作することによって発信される電波を認証器２５が受信したか否かに基づいて行われる。
【００８３】
認証器２５が電波を受信せず、予約ユーザが充電ステーション１６に接近していないと判断した場合（ステップＳ２１６：ＮＯ）、制御装置４４は、ステップＳ２１６の処理を繰り返す。認証器２５が電波を受信し、予約者が充電ステーション１６に接近したと判断した場合（ステップＳ２１６：ＹＥＳ）、制御装置４４は、第１スロット部２１における予約された着脱式バッテリ１４を収容するスロットに対応する第１表示器２３及び第２表示器２４の表示を貸出可能であることを示す利用可能状態の表示にする（ステップＳ２１８）。
【００８４】
図６（Ｂ）に示す状態で第１−１表示領域２３Ａにおいて利用不可状態が表示されたときに、図７（Ａ）に示すように、予約者が操作する電波発信機から発信された電波を認証器２５が受信した場合には、制御装置４４は、第１−１スロット２１−１に収容された着脱式バッテリ１４を利用可能とし、図７（Ｂ）に示すように、第１−１表示領域２３Ａの表示が利用不可状態から利用可能状態に変化する。
【００８５】
第１表示器２３の表示を見た予約者は、第１−１表示領域２３Ａに対応する第１−１スロット２１−１に収容された着脱式バッテリ１４が予約済の着脱式バッテリであることを認識することができる。予約ユーザは、認証器２５にＮＦＣカードをかざすことで着脱式バッテリ１４の交換を開始する。
【００８６】
制御装置４４は、予約ユーザがかざしたＮＦＣカードを用いて予約ユーザの認証処理を行うと共に、シェアサービスの利用権限を有するか否かを判定する。具体的には、制御装置４４は、認証器２５を通じてユーザＩＤを取得した後、管理サーバ１８に対して予約ユーザの照合を要求する。これにより、着脱式バッテリ１４の交換を要求する予約ユーザが特定される。
【００８７】
制御装置４４は、これに代えて、認証器２５を使用することなく予約ユーザの認証処理を行ってもよい。例えば、制御装置４４は、ユーザＩＤとバッテリＩＤを予め紐付けしておき、使用済バッテリ１４ｕが充電ステーション１６に装填された際に、バッテリＩＤと紐付けされたユーザＩＤから予約ユーザを認証してもよい。
【００８８】
この場合、制御装置４４は、予約ユーザの認証が完了した後、このユーザＩＤと、使用済バッテリ１４ｕのバッテリＩＤとの紐付けを解除する。そして、制御装置４４は、このユーザＩＤを、貸し出される充電済バッテリ１４ｃのバッテリＩＤと新たに紐付けする。これにより、ユーザの認証を繰り返し行うことができる。
【００８９】
その後、制御装置４４は、取得した情報（例えば、バッテリＩＤ・使用履歴情報）とユーザＩＤを対応付けた状態にて、通信モジュール４０及びネットワークＮＷを介して管理サーバ１８に向けて送信する。
【００９０】
制御装置４４は、予約ユーザがＮＦＣカードをかざしてから充電済バッテリ１４ｃを取り出すことにより、予約された着脱式バッテリ１４の貸出が完了したか否かを判断する（ステップＳ２２０）。予約された着脱式バッテリ１４の貸出が完了していないと判断した場合（ステップＳ２２０：ＮＯ）、制御装置４４は、ステップＳ２２０の処理を繰り返す。予約された着脱式バッテリ１４の貸出が完了したと判断した場合（ステップＳ２２０：ＹＥＳ）、制御装置４４は、予約済の着脱式バッテリ１４が収容されていたスロット及び着脱式バッテリ１４が収容されていなかったスロットの利用状況の表示を調整する（ステップＳ２２２）。
【００９１】
具体的には、制御装置４４は、予約済の着脱式バッテリ１４が収容されていた第１−１スロット２１−１の収容状態を示す第１−１表示領域２３Ａの表示を、図７（Ｂ）に示す利用可能状態から図８に示す未収容状態に変更する。制御装置４４は、着脱式バッテリ１４が収容されていない状態から使用済バッテリ１４ｕが収容された状態となる第１−４スロット２１−４の収容状態を示す第１−４表示領域２３Ｄの表示を、図７（Ｂ）に示す未収容状態から図８に示す利用不可状態に変更する。こうして、予約ユーザに対する着脱式バッテリ１４の貸出が行われる。
【００９２】
このように、上記の着脱式バッテリ貸出システム１０においては、充電ステーション１６に保管されている着脱式バッテリ１４の貸出を予約することができる。ここで、例えば、予約済の着脱式バッテリ１４が保管されている際に、収容状態として利用可能状態が表示されていると、非予約ユーザが充電ステーション１６で着脱式バッテリ１４の貸出操作を行うことが考えられる。しかし、着脱式バッテリ１４は予約された状態であるので、非予約ユーザは、貸出操作を開始した後、例えば自動二輪車１２から使用済バッテリ１４ｕを取り外し、充電ステーション１６まで運んできた後に着脱式バッテリ１４の貸出を受けられない旨を知ることになる事態が想定される。特に、スロット（例えば第１−１スロット２１−１）に開閉蓋（例えば開閉蓋２１−１Ｂ）が設けられている場合には、非予約ユーザは、開閉蓋を開けて収容部（例えば収容部２１−１Ａ）に使用済バッテリ１４ｕを収容した後、充電済バッテリ１４ｃの貸出を受けられないことを知ることがある。
【００９３】
この点、上記の着脱式バッテリ貸出システム１０では、着脱式バッテリ１４の貸出が予約された際には、充電済バッテリ１４ｃが収容されたスロットであっても、その収容状態の表示としては、第１表示器２３又は第２表示器２４の表示領域（例えば第１−１表示領域２３Ａ）には、利用不可状態が表示されている。非予約ユーザが貸出を受けられる使用済バッテリ１４ｕが充電ステーション１６に保管されていないと認識させることができる。したがって、充電済バッテリ１４ｃが収容されたスロットがある場合でも、着脱式バッテリの貸出を受けられない非予約ユーザは、充電ステーション１６に近づくことなく、着脱式バッテリの貸出が受けられないことを認識でき、非予約ユーザの無駄な作業を抑制できる。
【００９４】
また、単に貸出が予約された着脱式バッテリ１４を収容するスロットの収容状態の表示として利用不可状態が表示されていると、予約ユーザが着脱式バッテリ１４の貸出を受けられないと誤解する懸念がある。この点、上記の着脱式バッテリ貸出システム１０では、予約ユーザの電波発信機が発信する電波を認証器２５が検出することにより、着脱式バッテリ１４を収容するスロットの収容状態の表示を利用不可状態から利用可能状態に変更する。このため、予約ユーザは、充電ステーション１６の近傍において、電波発信機を操作することにより、貸出を受ける着脱式バッテリ１４が利用可能状態であることを認識できるので、予約ユーザが着脱式バッテリ１４の貸出を受けられないという誤解を抱かせないようにできる。
【００９５】
また、予約ユーザが所有する携帯端末２８は、予約された着脱式バッテリ１４が収容されたスロットの収容状態として利用不可状態が表示されている旨を表示している。このため、予約ユーザは、予約した着脱式バッテリ１４が保管された充電ステーション１６において、第１表示器２３及び第２表示器２４に利用不可状態が表示されている場合でも、予約ユーザが着脱式バッテリの貸出が可能であることを認識できる。
【００９６】
また、着脱式バッテリ貸出システム１０による着脱式バッテリ１４の貸出を複数回利用しているユーザは、着脱式バッテリ１４の貸出を予約することにより、第１表示器２３及び第２表示器２４の収容状態の表示が利用不可状態となっていることを認識していることが多い。この場合には、ユーザは、報知態様情報の提供をキャンセルすることができるので、利用不可状態が表示されていても着脱式バッテリ１４の貸出が可能であることをすでに認識している予約ユーザに対する無駄な情報の提供を抑制できる。
【００９７】
また、利用可能状態や利用不可状態は、第１表示器２３又は第２表示器２４の表示領域に表示される。このため、予約ユーザや非予約ユーザは、着脱式バッテリ１４の利用の可否を目視によって認識できる。
【００９８】
また、上記の着脱式バッテリ貸出システム１０では、スロット（例えば第１−１スロット２１−１）に収容部（例えば収容部２１−１Ａ）及び開閉蓋（例えば開閉蓋２１−１Ｂ）が設けられている。このため、収容部に収容された着脱式バッテリ１４の表面の汚損等を開閉蓋によって抑制できる。また、スロットに収容された着脱式バッテリ１４の収容状態が第１表示器２３及び第２表示器２４に表示されているので、開閉蓋が閉鎖されて収容部に収容された着脱式バッテリを視認できない場合でも、ユーザは、利用可能となっている着脱式バッテリ１４を認識できる。
【００９９】
また、上記の着脱式バッテリ貸出システム１０では、予約制御部５０において、予約ユーザによる着脱式バッテリ１４の予約時間を計時し、予約時間が長いほど予約金額を高く調整している。このため、着脱式バッテリ１４の不使用時における特定のユーザによる占有が行われるときには、当該ユーザに対する課金額が高くなるので、着脱式バッテリ１４の不使用時における特定のユーザによる占有を抑制できる。このため、着脱式バッテリ１４の貸出の滞留を抑制できる。
【０１００】
この発明は、上述した実施形態及び変形例に限定されるものではなく、この発明の主旨を逸脱しない範囲で自由に変更できることは勿論である。或いは、技術的に矛盾が生じない範囲で各々の構成を任意に組み合わせてもよい。
【０１０１】
上述した実施形態では、充電ステーション１６の第１スロット部２１及び第２スロット部２２における各スロットの着脱式バッテリ１４の収容状態について、第１表示器２３及び第２表示器２４に表示しているが、他の表示器に表示するようにしてもよい。例えば、スロットに応じたランプを設けて、ランプの点灯や点滅によって各スロットの収容状態を報知してもよいし、各スロットの外枠を電飾で囲み、電飾の点灯や点滅によって各スロットの収容状態を報知してもよい。
【０１０２】
また、着脱式バッテリ１４の収容状態を表示装置等以外の他の装置（例えば表示装置やスピーカ等）を使って報知するようにしてもよい。例えば、着脱式バッテリ１４の収容状態を音声によって報知するようにしてもよいし、手などで触れることで変化を感じ取れるデバイスであってもよい。これらを組み合わせ、例えば表示装置による表示とスピーカからの音声出力によって着脱式バッテリ１４の収容状態を報知してもよい。
【０１０３】
また、上述した実施形態では、スロットごとにおける着脱式バッテリ１４の収容状態を報知しているが、複数のスロットにおける着脱式バッテリ１４の収容状態を報知するようにしてもよい。この場合、複数のスロットのいずれかに充電済バッテリ１４ｃが収容されていれば、利用可能状態を表示し、収容状態の表示対象となる着脱式バッテリ１４のすべてが使用済バッテリ１４ｕであるときに、利用不可状態を表示してもよい。
【０１０４】
また、上述した実施形態では、複数のスロットがそれぞれ固定されているが、複数のスロットが移動機構によって移動可能であり、それぞれのスロットが保管場所と出し入れ場所との間を移動可能とされていてもよい。この場合、複数のスロットにおける着脱式バッテリ１４の収容状態を報知するようにすればよい。また、移動機構としては、例えば回転式のターンテーブルでもよいし、いわゆるパズル式の移動構造であってもよい。
【０１０５】
また、上述した実施形態では、開閉蓋が設けられているが、開閉蓋は設けられていなくてもよい。また、複数のスロットが保管場所と出し入れ場所との間を移動可能とされている例では、出し入れ場所に開閉ゲートを設けて、開閉ゲートが開放しているときに着脱式バッテリ１４の出し入れを行い、開閉ゲートが閉鎖している時に各スロットの移動を行うようにしてもよい。
【０１０６】
また、上述した実施形態では、認証器２５が、ユーザが操作した電波発信機が発信した電波が電波を受信したときに第１−１表示領域２３Ａに表示される収容状態を利用不可状態から利用可能状態に変化するが、その他の条件が揃ったときに収容状態を変化させてもよい。例えば、認証器２５に人感センサを設け、ユーザが操作した電波発信機が発信した電波を認証器２５が受信し、人感センサが人を検出したときに収容状態を変化させてもよい。あるいは、ユーザが操作した電波発信機が発信した電波を認証器２５が受信し、さらにＮＦＣカードの記録情報を読み取ったときに収容状態を変化させてもよい。
【０１０７】
また、上述した実施形態では、着脱式バッテリ１４の予約時間が長いほど予約金額を高くするようにしているが、他の態様によって、予約時間が長いほど着脱式バッテリの予約に伴う課金度合を大きくするようにしてもよい。例えば、予約時間が長いほど、着脱式バッテリ１４の利用料金自体を高くしてもよい。利用料金を高くする例としては、例えば、予約時間に応じて、利用料金に乗算する係数を調整してもよいし、予約時間に応じた金額テーブルを設定しておいて、利用料金を決定するようにしてもよい。この場合に、予約金額は設定してもよいし設定しなくてもよい。また、着脱式バッテリ１４を予約した後にキャンセルを行った場合には、次回に着脱式バッテリ１４を利用する際の課金度合を大きくするようにしてもよい。この場合にも、キャンセルを行うまでの予約時間が長いほど、課金度合大きくするようにしてもよい。
【０１０８】
また、上述した実施形態では、着脱式バッテリ貸出システム１０は、使用済バッテリ１４ｕを装填した後に、充電済バッテリ１４ｃを取り出す交換手順（返却→貸出）に従って動作しているが、逆の交換手順（貸出→返却）に従って動作してもよい。また、この着脱式バッテリ貸出システム１０は、着脱式バッテリ１４を１つずつ交換するのみならず、複数の着脱式バッテリ１４を同時に交換可能に構成されてもよい。
【０１０９】
また、上述した実施形態では、着脱式バッテリ貸出システム１０を自動二輪車１２（電動車両）に適用しているが、適用対象は四輪車を含む移動体であってもよい。また、着脱式バッテリ１４を装着することで利用可能な装置（電力利用装置）であれば、装置の種類又は使用目的を問わない。
【０１１０】
上記説明した実施形態は、以下のように表現することができる。
（１）実施形態の一態様は、電力利用装置に対して着脱自在に装着される着脱式バッテリと、前記着脱式バッテリの保管及び充電を行う充電ステーションと、前記充電ステーションに保管される前記着脱式バッテリの利用の可否を報知する報知手段と、前記着脱式バッテリの利用を予約した予約ユーザを検出する検出手段と、を備え、前記報知手段は、前記予約ユーザが予約した前記着脱式バッテリが保管されている場合に、前記着脱式バッテリを利用不可と報知し、前記検出手段が前記予約ユーザを検出することを条件として、前記着脱式バッテリを利用可能と報知することを特徴とする着脱式バッテリの貸出システムである。
【０１１１】
（２）の態様は、（１）の態様において、予約ユーザから提供される予約情報に基づいて、前記着脱式バッテリの予約を行う予約手段と、前記予約部による予約が完了した場合に、前記着脱式バッテリの利用の可否として、利用不可の報知されている旨の報知態様情報を前記予約ユーザに提供する情報提供手段と、を備える。
【０１１２】
（３）の態様は、（２）の態様において、前記情報提供手段による前記報知態様情報の提供をキャンセルするキャンセル手段を備える。
【０１１３】
（４）の態様は、（１）から（３）のいずれか１つの態様において、前記報知手段は、前記着脱式バッテリの利用の可否を表示する表示手段を備える。
【０１１４】
（５）の態様は、（１）から（４）のいずれか１つの態様において、前記充電ステーションは、前記着脱式バッテリの保管および充電を行うスロットを備えており、前記スロットには、前記着脱式バッテリの出入時に開放される開閉部材が取り付けられている。
【０１１５】
（６）の態様は、（１）から（５）のいずれか１つの態様において、前記予約ユーザによる着脱式バッテリの予約時間を計測する計時手段と、予約ユーザから提供される予約情報に基づいて、前記着脱式バッテリの予約に伴う課金度合を調整する課金調整手段と、備え、前記課金調整手段は、前記計時手段によって計測された前記予約時間が長いほど、前記課金度合を大きくする。
【０１１６】
（７）実施形態の他の態様は、電力利用装置に対して着脱自在に装着される着脱式バッテリと、前記着脱式バッテリの保管及び充電を行う充電ステーションと、前記充電ステーションに保管される前記着脱式バッテリの利用の可否を報知する報知手段と、前記着脱式バッテリの利用を予約した予約ユーザを検出する検出手段と、を備える着脱式バッテリの貸出システムによって前記着脱式バッテリを貸し出すにあたり、前記報知手段は、前記予約ユーザが予約した前記着脱式バッテリが保管されている場合に、前記着脱式バッテリを利用不可と報知し、前記検出手段が前記予約ユーザを検出することを条件として、前記着脱式バッテリを利用可能と報知することを特徴とする着脱式バッテリの貸出方法である。
【符号の説明】
【０１１７】
１０…着脱式バッテリ貸出システム（バッテリ利用システム）
１２…自動二輪車（電力装置）
１４…着脱式バッテリ
１４ｃ…充電済バッテリ
１４ｕ…使用済バッテリ
１６…充電ステーション（保管装置）
１８…管理サーバ
２１，２２…スロット部
２１−１〜２１−４，２２−１〜２２−４…スロット
２１−１Ａ…収容部
２１−１Ｂ…開閉蓋
２３，２４…表示器
２３Ａ〜２３Ｄ，２４Ａ〜２４Ｄ…表示領域
２５…認証器
２６…充電器
２８…携帯端末
ＮＷ…ネットワーク
【図１】
2020027186.tif 000003
【図２】
2020027186.tif 000004
【図３】
2020027186.tif 000005
【図４】
2020027186.tif 000006
【図５】
2020027186.tif 000007
【図６】
2020027186.tif 000008
【図７】
2020027186.tif 000009
【図８】
2020027186.tif 000010
【国際調査報告】
2020027186.tif 000011
2020027186.tif 000012
2020027186.tif 000013
2020027186.tif 000014